(57)【特許請求の範囲】
【請求項１】
ＭＯＸ新燃料輸送用キャスクの固縛機構を強制的に解除するためのエマージェンシーボルト取外し工具であって、固縛機構中のコントロールバーを掴む工具と、エマージェンシーボルトを回転させる工具からなり、この工具は該工具が貫通できる穴のあいた、例えばレジン樹脂の如き放射線遮蔽材を封入した箱状の工具取付台に取り付けた後、同じく放射線遮蔽材でできた位置決め工具に取り付けられてコントロールバーのねじ頭部を保持しながら遠隔でエマージェンシーボルトの取外しが可能であることを特徴とするエマージェンシーボルト取外し工具。
【発明の詳細な説明】
【０００１】
【発明の属する技術分野】
本発明はＭＯＸ新燃料取扱用機材のうち、キャスク内で燃料集合体を水平方向に押さえている固縛機構が緩まなかった際に、押さえつけている機構の一部の部品（エマージェンシーボルト）を強制的に取外す工具に関するものである。
【０００２】
【従来の技術】
加圧水型原子炉用ＭＯＸ新燃料はキャスクに入れられて運ばれるが、このときキャスク内で燃料集合体は固縛機構によって水平方向に押さえられている。
この固縛機構は一般に図１に示すようにキャスク内の燃料集合体を離間収納しているバスケット上面のトッププレート４に配される固縛機構を締めつけるコントロールナット１、コントロールナットの緩み止めとしてのロックナット２及び現在の固縛状況を示すコントロールバー３から構成されており、コントロールバーを引き上げることにより固縛が成され、その状態をコントロールナットとロックナットにより固定保持して固縛している。  その固縛を解除するにあたっては本来はコントロールナットを回転させることで該機構を緩めるが、熱や摩擦のためにコントロールナット１が回転できない場合、エマージェンシーボルト５で吊持されているナット部６を切り離して全体を落とし、コントロールナット１を緩めたのと同じ効果を得るようにしている。
この場合、ＭＯＸ新燃料はウラン新燃料と比較すると、線量率が高いため従来は線量率を計測しながら時間管理を行って、スパナ等の手工具を用いてエマージェンシーボルト５の取外し作業を行っていた。
【０００３】
【発明が解決使用とする課題】
しかし、上記の取外し作業においてエマージェンシーボルトを順番に外してゆくと、最後の１本にすべての固縛機構の重量がかかり、ボルトが破損したり、ねじが非常に硬くなり回らないという不具合が予測される。また、近接作業のため、被曝の問題も生じる。
【０００４】
本発明は上述の如き実状に対処し、特に遠隔使用可能な新規工具を見出し、遠隔化と遮蔽により十分被曝量を抑えた状態でエマージェンシーボルトの取外し作業ができ、ボルトの破損やねじが緩まないという不具合を解決することを目的とするものである。
【０００５】
【課題を解決するための手段】
即ち、上記目的に適合する本発明の特徴は、ＭＯＸ新燃料輸送用キャスクの固縛機構を強制的に解除するためのエマージェンシーボルト取外し工具であって、固縛機構中のコントロールバーを掴む工具と、エマージェンシーボルトを回転させる工具からなり、この工具が貫通できる穴のあいた、例えばレジン樹脂の如き放射線遮蔽材を封入した箱状の工具取付台に取り付けた後、同じく放射線遮蔽材でできた位置決め工具に取り付けられて、コントロールバーのねじ頭部を保持しながら遠隔でエマージェンシーボルトの取外しが可能である構成である。
【０００６】
【作用】
本発明工具の使用に際しては、先ず、エマージェンシーボルト取外し工具上部を開閉させる部分を引き上げてコントロールバーを掴む工具を閉じてコントロールバーを把み保持させる。
そして、次にエマージェンシーボルトを回転させる工具をエマージェンシーボルトの真上になるように位置調整し、エマージェンシーボルト回転部を回転してエマージェンシーボルトを緩める。
なお、コントロールバーを掴む工具でコントロールバーを保持しているため、鉛直下方向に固縛の戻り荷重を受けているが、最後の１本のエマージェンシーボルトを緩める際にも鉛直方向荷重によりボルトが破損することもなく、また、ねじが硬くなることもない。
【０００７】
【発明の実施の形態】
以下、更に添付図面にもとづき本発明の具体的な態様を実施例と共に説明する。
【０００８】
図２及び図３は本発明に係る工具の機構を示す図で、図２はコントロールバーを掴む工具を開いている場合、図３は同工具を閉じている場合である。
【０００９】
これら図に示す本発明取外し工具はキャスク上に設置されて本工具を含む各種工具類を位置決めするための位置決め工具１７に取り付けられる工具であって、その要部はコントロールバー３を掴む工具７とエマージェンシーボルト５を回転させる工具８によって構成されており、これらに夫々コントロールバーを掴む工具７を開閉させる開閉機構９と、エマージェンシーボルト５を回転させる工具８を回転させる回転部１１が連結されて、この工具が貫通できる穴のあいた、例えばレジン樹脂の如き放射線遮蔽材を封入した箱状の工具取付台１６に取り付けた後、同じく放射線遮蔽材でできた前記位置決め工具１７に取り付けられる。
従って、燃料集合体から離れ、遮蔽された位置で作業を行うことが可能である。
【００１０】
そして、上記取外し工具を用いてエマージェンシーボルト５の取り外しを行うには、先ずエマージェンシーボルト取外し工具のコントロールバーを掴む工具７の開閉機構９を引き上げてコントロールバー３を把み保持する。
そして、次いでエマージェンシーボルト５を回転させる工具８をハンドル１２を用いてコントロールバー３を中心に回転させ、図３（ロ）に示される複数のエマージェンシーボルトのうち、所要のエマージェンシーボルト５の真上まで持ってゆき、エマージェンシーボルトを回転させる工具８の回転部１１を工具を用いて手動で回転してエマージェンシーボルト５を緩める。
【００１１】
このようにして上記複数のエマージェンシーボルトの全てのエマージェンシーボルトを緩めると、ナット部６は落下しようとするが、コントロールバー３を保持しているので落下しない。
そこでコントロールバーを掴む工具７をねじによる上下動つまみ１３を回して徐々に下降させ、ナット部６を所定の位置まで下降させ、固縛を解除する。
なお、上記上下動つまみ１３はスラストベアリング１４によりスムースに回る。また、エマージェンシーボルトを回転させる工具８は有孔ガイド１５により径方向に位置決めされると共に振れ止めされている。
【００１２】
かくして以上のような構成とその作用により遠隔でエマージェンシーボルトを取り外すことのできる工具を、遮蔽材、実際は遮蔽材を封入した箱状の工具取付台に取り付け、更にその上で位置決め工具に取り付けることにより被曝量を押さえた状態でエマージェンシーボルトを容易に取外すことができ、キャスク内の燃料集合体の固縛機構を解除することができる。
【００１３】
【発明の効果】
本発明は以上のようにコントロールバーを掴む工具と、エマージェンシーボルトを回転させる工具からなり、キャスク上に設置された位置決め工具上に設置して使用されるものであり、遮蔽材の上に設置することで従来、手工具を用いて行っていたエマージェンシーボルトの取外し作業を遠隔で、かつ遮蔽により十分被曝量を抑えた状態で作業することを可能ならしめると共に、さらにボルトを破損したり、ねじが緩まないという不具合を起こすこともない顕著な効果を有している。
【図面の簡単な説明】
【図１】キャスク内の固縛機構例を示す一部断面正面図である。
【図２】本発明に係るエマージェンシーボルト取外し工具例で、コントロールバーを把む工具を開いた状態を示す一部断面正面図である。
【図３】（イ）は上記エマージェンシーボルト取外し工具例のコントロールバーを把む工具を閉じた状態を示す正面図であり、（ロ）は（イ）のＡ−Ａ断面図である。
【符号の説明】
１  コントロールナット
２  ロックナット
３  コントロールバー
４  トッププレート
５  エマージェンシーボルト
６  ナット部
７  コントロールバーを掴む工具
８  エマージェンシーボルトを回転させる工具
【図１】
0003886693.tif 000002
【図２】
0003886693.tif 000003
【図３】
0003886693.tif 000004